(57)【要約】【課題】破損、紛失するおそれがないばかりか梱包の手間も不要で、必要な時に作成可能であり、特に、製品に関する技術上の機密が漏洩される心配を解消する。【解決手段】３Ｄグラフィックス用のファイル形式による電子図面データから作成される承認図を保管・管理する図面管理装置４と、図面管理装置４に接続して承認図の閲覧又は出力の少なくとも一方を行う複数の端末８，９，１０と、図面管理装置４と前記端末８，９，１０とを接続するネットワーク回線５０とを備え、図面管理装置４に入力された電子図面データが、図面管理装置４内で２Ｄグラフィックス用のファイル形式による電子図面データに変換されて承認図用データとして保存され、前記端末で前記図面管理装置４に接続することにより承認図を取得可能とした。【選択図】図２
2009098785.tif 000002
【特許請求の範囲】
【請求項１】
３Ｄグラフィックス用のファイル形式による電子図面データから作成される承認図を保管・管理する図面管理装置と、該図面管理装置に接続して前記承認図の閲覧又は出力の少なくとも一方を行う複数の端末と、前記図面管理装置と前記端末とを接続するネットワーク回線とを備え、前記図面管理装置に入力された前記電子図面データが、前記図面管理装置内で２Ｄグラフィックス用のファイル形式による電子図面データに変換されて承認図用データとして保存され、前記端末で前記図面管理装置に接続することにより前記承認図面用データに承認データを上書きした承認図データを取得可能としたことを特徴とする承認システム。
【請求項２】
前記管理用図面のファイル形式がＴＩＦＦである請求項１に記載した承認システム。
【発明の詳細な説明】
【技術分野】
【０００１】
本発明は、作図ソフト等により作成した電子図面データ等に基づいて承認図を提供するに承認システムに関するものである。
【背景技術】
【０００２】
従来、電子的なデータ管理技術が普及していない時代において承認図を提供するには、例えばドラフター等により作図した原図を第二原紙に複写し、これにサインや押印をして承認図を作成していた。
【０００３】
その後、２Ｄ−ＣＡＤソフトのように図面を電子的手段で作成しそのまま電子図面データとして保存する技術が普及すると、その電子図面データを管理用の正式な元図としてコンピュータの記憶手段等からなる電子図庫に保管し、図面を使用する場合にはこれをプリンターで利用できる形式に変換して出力することにより図面を印刷するようになったが、これらは組織内での利用に限られ、承認図については前述の如く第二原紙の複写を用いていた。
【０００４】
そして、近年では設計対象を３次元的にとらえて作図・記録することのできる３Ｄ−ＣＡＤソフトが普及することにより、作成された電子図面をコンピューターを用いて承認者が名前や承認日時などの承認データを入力することで電子図面に承認データを上書きすることにより印刷した図面を承認図とする手段がとられるようになり、承認者は印刷した紙によらずに承認図が何時でも離れた場所から入手できるのできわめて便利になった。
【０００５】
ところが、前記従来の電子化図面に承認データを上書きすることにより印刷した図面を承認図とする手段では、元になる作成された電子図面のデータが３Ｄ−ＣＡＤソフトであることから３Ｄモデルデータで承認図を提出することになるが、３Ｄモデルデータの場合には製品に関する全ての記述情報が細部にわたって顧客に開示されてしまうという問題がある。また、保存してある元図が電子図面がＣＡＤデータであることから元図が破損・改竄されてしまうということがあり、元図と承認図とが一致しなくなるという問題もある。
【０００６】
そこで、例えば特開２０００−６７０８８号公報等に記載されているように、作成された電子図面のデータをファイルに保存するとともに、承認図に用いてよいものを承認図用データとして予め定めておき、承認図を必要とするときに入力した承認データと前記保存してある承認図用データと同一であるか否かを判定して、所定の関係が確認された場合にだけ承認図用データと承認データとを併合させて承認図を印刷する手段が提示されている。
【０００７】
ところが、前記公報に提示されている承認図作成システムは、３Ｄモデルデータである電子図面のデータを承認可能なものと承認不可能なものとに予め区分けして所定の承認図用データとして保存しておくことが必要で、また、承認者は承認図を取得するための入力の際に予め定めた承認データを入力して所定の承認図用データと一致させなければならず、きわめて複雑なシステムと複雑な作業が必要である、という問題が生じる。
【特許文献１】特開２０００−６７０８８号公報
【発明の開示】
【発明が解決しようとする課題】
【０００８】
本発明は、上記のような問題点を解決しようとするものであり、従来の印刷した承認図のように破損、紛失するおそれがないばかりか梱包の手間も不要で、必要な時に作成可能であり、特に、製品に関する技術上の機密が漏洩される心配を解消するものである。
【課題を解決するための手段】
【０００９】
前記課題を解決するためになされた本発明は、３Ｄグラフィックス用のファイル形式による電子図面データから作成される承認図を保管・管理する図面管理装置と、該図面管理装置に接続して前記承認図の閲覧又は出力の少なくとも一方を行う複数の端末と、前記図面管理装置と前記端末とを接続するネットワーク回線とを備え、前記図面管理装置に入力された前記電子図面データが、前記図面管理装置内で２Ｄグラフィックス用のファイル形式による電子図面データに変換されて承認図用データとして保存され、前記端末で前記図面管理装置に接続することにより前記承認図用データに承認データを上書きした承認図データを取得可能としたことを特徴とする。
【００１０】
本発明では、３Ｄ―ＣＡＤソフトによる図面等、技術情報などの機密に関する漏洩が器具される電子図面データを元にして承認図を作成する場合であっても機密情報の漏洩を防ぐことができる。
【００１１】
特に、図面管理装置における承認図用データのファイル形式は、ＴＩＦＦ（ＴａｇｇｅｄＩｍａｇｅＦｉｌｅＦｏｒｍａｔ）とすれば、殆どの端末側で管理用図面を閲覧してそのまま印刷できるものとなり、また履歴管理において過大なデータ容量を要することがなく、しかも管理用図面改変の畏れのない極めて安全性の高いシステムとなる。
【発明の効果】
【００１２】
３Ｄ―ＣＡＤソフトによる図面データを基にして２Ｄグラフィックス図面データを作成しそれをＴＩＦＦのファイル形式で承認図用データとして図面管理装置に保存し、これを元にして承認図を作成することとした本発明によると、技術上の機密情報の漏洩が防止され、承認図を得る側も紙図におけるような破損や紛失する心配がなく、梱包や搬送の手間も省ける。
【発明を実施するための最良の形態】
【００１３】
以下に、図面を参照しながら本発明を実施するための最良の形態を説明する。
【００１４】
図１は、本実施の形態の図面管理システム１の簡略化した構成図を示している。ＰＣ等からなる承認図を提供する側に設置された端末８および承認図を取得する側の端末９，１０が例えばインターネットのようなネットワーク回線５０を介して図面管理装置としてのサーバ４に接続されている。
【００１５】
そして、サーバ４が本社管理部に配設され、端末８がこれとは離れた場所の各拠点に配置されている場合において、開発拠点の設計担当者等は端末８にインストールされた３Ｄ―ＣＡＤソフトを用い図面を作成し、これをそのソフトによる形式の電子図面データでネットワーク回線５０を介してサーバ４に送信し、サーバ４がこれをＴＩＦＦ等の２Ｄグラフィックスのファイル形式で承認図用データとして保存・管理するものである。
【００１６】
図面管理システム１において、端末９を用いてサーバ４にアクセスした承認者がプリンター９ａで承認図を印刷し、或いは端末１０を用いて承認図を表示し、さらに保存させる、等の機能を実現するようになっている。
【００１７】
図２は、図面管理装置であるサーバ４の機能ブロック図を示している。サーバ４は汎用のサーバ装置を利用することができ、そのＨＤＤ等の記憶手段に制御プログラムである図面管理プログラムが記憶されてその図面管理方法を実行するものであり、以下に述べる各手段はこの図面管理プログラムとＣＰＵとが協働して機能的に実現するものである。尚、サーバ４はこのほかに他の一般的なサーバと同様の構成を有して他の一般的な機能も有しているが、その説明は省略するものとする。
【００１８】
サーバ４は、出力インターフェース４５，入力インターフェース４６を介して外部のネットワーク回線５０に接続している。入力インターフェース４６を介して入力された各端末からの操作信号や電子図面データは、管理制御手段４１に入力されるようになっている。そして、例えば電子図面データが入力された場合、これを元図記憶手段４２に格納して保存するようになっている。
【００１９】
サーバ４は、３Ｄ―ＣＡＤソフトの形式の電子図面の入力に対応できるようになっており、管理制御手段４１は入力された３Ｄ―ＣＡＤソフトの形式の電子図面データを元図記憶手段４２に保存後、これから２Ｄ―ＣＡＤソフトの形式の電子図面データに変換したをコピーデータを作成して元図記憶手段４２とは異なる記憶領域の２Ｄ―ＣＡＤソフト記憶手段４３に格納し、さらに、前記２Ｄ―ＣＡＤソフトの形式の電子図面データをＴＩＦＦ図面に変換したコピーデータを作成し、これを元図記憶手段４２および２Ｄ―ＣＡＤソフト記憶手段４３とは異なる記憶領域のＴＩＦＦ形式の承認図データの記憶手段４４に格納するようになっており、この承認図データの記憶手段４４が、端末８，９，から取得する承認図用データを保存する部分となっている。
【００２０】
次に、本実施の形態の作用例を説明すると、先ず、開発拠点に配置した端末１０で、設計担当者が作成した３Ｄ−ＣＡＤソフトを用いて図面を複数枚一連にして端末８内の元図記憶手段４２に３Ｄ−ＣＡＤソフトによる形式で元図図面データファイルとしていったん保存する。
【００２１】
次に、承認図の取得者が端末１０を用いてサーバ４に接続し、承認図の電子図面データの保存操作を開始する。すると、サーバ４は端末１０の画面に認証画面を表示させ、パスワードの入力を促す。設計担当者がパスワードを入力すると、予め記憶しておいた図面保存権限者のデータと照合し、一致した場合に電子図面データファイルの入力を受け付ける。
【００２２】
サーバ４内において、管理制御手段４１は例えば承認図提供者が端末８から入力した電子図面データファイルを、元図記憶手段４２に送信された３Ｄ−ＣＡＤソフト形式のまま格納させる。そして、その際、この電子図面データを２Ｄ―ＣＡＤソフトに変換して２Ｄ―ＣＡＤソフト記憶手段４３に保存する。
【００２３】
そして、更に、２Ｄ―ＣＡＤソフト記憶手段４３に保存されている２Ｄ―ＣＡＤソフトを２Ｄ形式のＴＩＦＦ図面としてコピーしておき、ＴＩＦＦ形式の承認図データの記憶手段４４に格納して承認図面用として保存する。
【００２４】
そして、前記承認図面用として保存してあるＴＩＦＦ形式の承認図データに上書きして承認図が各端末８，９，１０において印刷される。
【００２５】
尚、本実施形態では提供された３Ｄ−ＣＡＤソフトを用いた図面ファイルを一旦２Ｄ―ＣＡＤソフトに変換して記憶手段４３に保存するとともに、更に、２Ｄ形式のＴＩＦＦ図面としてコピーしておき、ＴＩＦＦ形式の承認図データの記憶手段４４に格納して承認図面として保存したが、２Ｄ―ＣＡＤソフトに変換する高低を省いて３Ｄ−ＣＡＤソフトを用いた図面ファイルを直接２Ｄ形式のＴＩＦＦ図面としてＴＩＦＦ形式の承認図データの記憶手段４４に格納して承認図面として保存してもよい。
【００２６】
本発明においては、３Ｄ−ＣＡＤソフトを用いた図面であっても承認図は２Ｄ―ＣＡＤソフトであることから、製品の全てが開示される心配がないので技術上の機密が漏洩する心配がない。殊に、承認図はＴＩＦＦ形式の承認図データに基づいているため少ないデータとして保存が可能であるばかりか取得者端末において印刷されるので搬送手段を要さずに容易に取得可能であり、また、ＴＩＦＦ形式のデータは汎用フォーマットであることから各所において各種の用途に供することが可能である。
【図面の簡単な説明】
【００２７】
【図１】本発明の実施の形態を示す配置図。
【図２】図１のサーバにおける機能ブロック図。
【符号の説明】
【００２８】
１  図面管理システム、４  サーバ、８，９，１０  端末、８ａ、４１  管理制御手段、４２  元図記憶手段、４３  ２Ｄ―ＣＡＤソフト記憶手段、４４  ＴＩＦＦ形式の承認図データの記憶手段
【図１】
2009098785.tif 000003
【図２】
2009098785.tif 000004